(57)【要約】  【課題】老朽化等したＰＣケーブル取替え時またはＰＣケーブルを新たに敷設して橋桁を補修・補強する時の緊張・定着接続方法を提供する。  【解決手段】外ケーブル方式を採用した桁橋の複数本のＰＣケーブルの取替え時または複数本のＰＣケーブルを新たに敷設して橋桁を補修・補強する時の緊張・定着にあたって、ＰＣケーブルの左右両端の固定部位を橋桁の端部とし、左右のＰＣケーブルの緊張・定着接続部を桁端の内方に設け、当該緊張・定着接続部において、前記複数本のＰＣケーブルの撚り線端末部を定着板の左右の一方側からジャッキにより全数同時にまたは数本毎に分割して緊張し、クサビによりその定着板に定着固定する。  【選択図】 図１
2006249665.tif 000002
【特許請求の範囲】
【請求項１】
外ケーブル方式を採用した桁橋のＰＣケーブルの取替え時またはＰＣケーブルを新たに敷設して橋桁を補修・補強する時の緊張・定着接続方法であって、ＰＣケーブルの左右両端の固定部位を橋桁の端部とし、左右のＰＣケーブルの緊張・定着接続部を桁端の内方に設け、当該緊張・定着接続部においてＰＣケーブルを緊張し、定着接続することを特徴とするＰＣケーブルの緊張・定着接続方法。
【請求項２】
前記外ケーブル方式を採用した桁橋のＰＣケーブルの取替え時のＰＣケーブルの左右両端の固定部位を取替え前の元の橋桁の端部としたことを特徴とする請求項１に記載のＰＣケーブルの緊張・定着接続方法。
【請求項３】
前記左右のＰＣケーブルの緊張・定着接続部が中央部の橋桁の内部空間であることを特徴とする請求項１または２に記載のＰＣケーブルの緊張・定着接続方法。
【請求項４】
前記ＰＣケーブルの緊張・定着接続作業がＰＣケーブルの１本ずつを緊張し、定着接続具に定着接続することを特徴とする請求項１乃至３に記載のＰＣケーブルの緊張・定着接続方法。
【請求項５】
前記ＰＣケーブルの緊張・定着接続作業がＰＣケーブルの２本ずつを緊張し、定着板に定着接続することを特徴とする請求項１乃至３に記載のＰＣケーブルの緊張・定着接続方法。
【請求項６】
前記ＰＣケーブルの緊張・定着接続作業が複数本のＰＣケーブルを接続するものであって、左右一方のＰＣケーブルの全数を円板状の定着板の中心部に定着接続し、他方のＰＣケーブルを前記一方のＰＣケーブルの全数を定着接続した定着板の中心部の外側に位置する略円周上に、かつ１列に緊張し、定着接続することを特徴とする請求項１乃至３に記載のＰＣケーブルの緊張・定着接続方法。  
【請求項７】
ＰＣケーブルを定着固定するクサビと該クサビの後部端面で押圧するスプリングを収容し該スプリングの他端面を支持するスプリング受け部を備えた２個の外筒と、
該２個の外筒を両端に結合する円筒状の接続部材と、からなるＰＣケーブルの自動定着接続具であって、
前記接続部材の円筒状の外面にはその軸方向に長孔が設けられ、該接続部材の一方の端部内面から該接続部材の他端に位置する前記長孔の開口端にかけて略円弧を形成するガイド面が設けられ、前記２個の外筒の一方ではＰＣケーブルの端部を自動定着し、前記２個の外筒の他方ではＰＣケーブルの端部を自動定着する機能を有し、ＰＣケーブルの端部を前記外筒内に押込むと、ＰＣケーブルの端部が前記ガイド面に沿ってガイドされ、前記接続部材の外部に押出されることを特徴とする自動定着接続具。
【発明の詳細な説明】
【技術分野】
【０００１】
本発明は、ＰＣケーブルの緊張・定着接続方法および定着接続具に関する。
【背景技術】
【０００２】
従来、各種の橋梁において、自動車、鉄道等の荷重を直接支持するコンクリート製の橋桁には支点間で常時大きな曲げモーメントが作用することから、Ｔ桁、箱桁、トラス、中空床版、版桁等のコンクリート躯体にＰＣケーブルを外ケーブル方式で敷設してプレストレスを導入することによって橋桁の建設を可能とし、また支点間の距離を長くすることが行なわれている。
【０００３】
図１は本発明の実施の形態に係る外ケーブル方式を採用した桁橋およびそのＰＣケーブル取替え時の接続部の説明図、（イ）は正面視断面図、（ロ）は矢視Ａ−Ａ図、（ハ）は矢視Ｂ−Ｂ図であり、図１は同時に桁橋中央部の緊張・定着接続部を除けば、従来例の外ケーブル方式を採用した桁橋の説明図でもある。
【０００４】
図１を参照しながら従来例の外ケーブル方式の桁橋について説明する。１００は外ケーブル方式の桁橋であり、水平方向に張出部を有する上面と両側面と下面とからなる箱断面をなす橋桁１０が左右（長手）方向に結合され両端の横桁１１、１１１が橋台１７を支持点として敷設されている。１４は中間隔壁であり、中央に連絡孔１４１が設けられている。１４２は橋桁の下面に設けられた検査孔であり、検査・点検時に検査員が橋桁１０の内部に立入るために使用される。１２、１２１は左右の桁端に設けられた定着板である。
【０００５】
ＰＣケーブルは一端が、例えば左側の桁端の定着板１２に定着具を使用して定着固定され、他端が２つの中間隔壁１４の貫通孔１４３を挿通して、右端の胸壁１７１および盛土１７２が積上げられる前に、横桁１１１の外方において油圧ジャッキによって緊張され定着具を使用して定着板１２１に定着固定される。ＰＣケーブルは定着板１２、１２１と２つの中間隔壁１４の貫通孔１４３の縁部を支持点として緊張されている。
【０００６】
下記特許文献１には、外ケーブル方式の単純ＰＣ桁（１）で上フランジ（２）と下フランジ（３）がウエブ（４）で結合されたコンクリート躯体の両端部が支点（６）で支持されたもの（図６（ｂ）（ｄ））。また複数の主桁（１３）を横桁兼用定着壁（１６）を介して一体化して構築した外ケーブル方式の単純ＰＣ橋（１５）（図７）。さらに、外ケーブル方式の単純ＰＣ箱桁（１８）で、上床版（１９）と下床版（２０）が両側版（２１）で連結され内部が中空の箱桁が構築されていて、ＰＣ箱桁（１８）の端部が支点（６）で支持されたもの(図９)等各種の外ケーブル方式の桁橋が示されている。
【特許文献１】特開２００４−２７０１７８号公報
【発明の開示】
【発明が解決しようとする課題】
【０００７】
上記ＰＣケーブルは老朽化等の原因により、相当期間の経過後には、補修のために取替えを行なう場合があるが、ＰＣケーブルの緊張・定着接続部を最初の桁端において行おうとすると、現に道路や鉄道として使用されている桁橋の桁端の外側、即ち橋台・胸壁とその背面部分に、大きな作業空間が必要になる。
【０００８】
しかしながら、この作業空間が橋梁の建設時に設けられていない所が多いのが実情である。橋台・胸壁の背面部にＰＣケーブルの取替え作業に必要な、作業機器を持ち込み、緊張定着等の作業のできる作業孔を設けることは工期が長くなり費用が嵩むほか、この橋台・胸壁の背面部は強度・剛性の高い胸壁部と構造上不連続な部位であるため、路面の沈下が大きくなり車両や列車の走行時の安全性や乗心地に悪影響を及ぼすという問題がある。上記特許文献１に示されている各種の外ケーブル方式の桁橋においてもＰＣケーブルの緊張・定着接続部は、いずれも桁端において行われている。
【０００９】
本発明は上記問題点に鑑みてなされたものであり、ＰＣケーブルの取替え時およびＰＣケーブルを新たに敷設して橋桁を補修・補強する時に、道路や鉄道の路面へ悪影響を及ぼさぬように、橋台・胸壁の背面部には必要最小限の作業人孔のみを設け、作業機器の持ち込みや緊張定着等の作業は桁端内方で行なうこととするＰＣケーブルの緊張・定着接続方法および定着接続具を提供することにある。
【課題を解決するための手段】
【００１０】
上記課題を達成するための第１の発明は、外ケーブル方式を採用した桁橋のＰＣケーブルの取替え時またはＰＣケーブルを新たに敷設して橋桁を補修・補強する時の緊張・定着接続方法であって、ＰＣケーブルの左右両端の固定部位を橋桁の端部とし、左右のＰＣケーブルの緊張・定着接続部を桁端の内方に設け、当該緊張・定着接続部においてＰＣケーブルを緊張し、定着接続することを特徴とするＰＣケーブルの緊張・定着接続方法である。
【００１１】
第２の発明は、第１の発明において、前記外ケーブル方式を採用した桁橋のＰＣケーブルの取替え時のＰＣケーブルの左右両端の固定部位を取替え前の元の橋桁の端部としたことを特徴とするＰＣケーブルの緊張・定着接続方法である。
【００１２】
第３の発明は、第１または第２の発明において、前記左右のＰＣケーブルの緊張・定着接続部が中央部の橋桁の内部空間であることを特徴とするＰＣケーブルの緊張・定着接続方法である。
【００１３】
第４の発明は、第１乃至３の発明において前記ＰＣケーブルの緊張・定着接続作業がＰＣケーブルの１本ずつを緊張し、定着接続具に定着接続することを特徴とするＰＣケーブルの緊張・定着接続方法である。
【００１４】
第５の発明は、第１乃至３の発明において、前記ＰＣケーブルの緊張・定着接続作業がＰＣケーブルの２本ずつを緊張し、定着板に定着接続することを特徴とするＰＣケーブルの緊張・定着接続方法である。
【００１５】
第６の発明は、第１乃至３の発明において、前記ＰＣケーブルの緊張・定着接続作業が複数本のＰＣケーブルを接続するものであって、左右一方のＰＣケーブルの全数を円板状の定着板の中心部に定着接続し、他方のＰＣケーブルを前記一方のＰＣケーブルの全数を定着接続した定着板の中心部の外側に位置する略円周上に、かつ１列に緊張し、定着接続することを特徴とするＰＣケーブルの緊張・定着接続方法である。
【００１６】
第７の発明は、ＰＣケーブルを定着固定するクサビと該クサビの後部端面で押圧するスプリングを収容し該スプリングの他端面を支持するスプリング受け部を備えた２個の外筒と、該２個の外筒を両端に結合する円筒状の接続部材と、からなるＰＣケーブルの自動定着接続具であって、前記接続部材の円筒状の外面にはその軸方向に長孔が設けられ、該接続部材の一方の端部内面から該接続部材の他端に位置する前記長孔の開口端にかけて略円弧を形成するガイド面が設けられ、前記２個の外筒の一方ではＰＣケーブルの端部を自動定着し、前記２個の外筒の他方ではＰＣケーブルの端部を自動定着する機能を有し、ＰＣケーブルの端部を前記外筒内に押込むと、ＰＣケーブルの端部が前記ガイド面に沿ってガイドされ、前記接続部材の外部に押出されることを特徴とする自動定着接続具である。  
【発明の効果】
【００１７】
第１の発明は、外ケーブル方式を採用した桁橋のＰＣケーブルの取替え時またはＰＣケーブルを新たに敷設して橋桁を補修・補強する時の緊張・定着接続方法であって、ＰＣケーブルの左右両端の固定部位を橋桁の端部とし、左右のＰＣケーブルの緊張・定着接続部を桁端の内方に設け、当該緊張・定着接続部においてＰＣケーブルを緊張し、定着接続することを特徴とするＰＣケーブルの緊張・定着接続方法であるから、橋台・胸壁の背面部にＰＣケーブルの敷設時に必要な作業機器を持ち込み、緊張・定着作業を可能とするような大きな作業孔を設けることなく、工期を短縮し、少ない費用で、老朽化した桁橋のＰＣケーブルの取替えまたはＰＣケーブルを新たに敷設する橋桁の補修・補強を可能とし、さらに路面の沈下による車両や列車の走行時の安全性や乗心地に悪影響を及ぼすことがないという効果がある。
【００１８】
第２の発明は第１の発明において、前記外ケーブル方式を採用した桁橋のＰＣケーブルの取替え時のＰＣケーブルの左右両端の固定部位を取替え前の元の橋桁の端部としたことを特徴とするＰＣケーブルの緊張・定着接続方法であるから、老朽化した桁橋のＰＣケーブルの取替えを一層簡便に行なうことができるという効果がある。
【００１９】
第３の発明は、第１または第２の発明において、前記左右のＰＣケーブルの緊張・定着接続部が中央部の橋桁の内部空間であることを特徴とするＰＣケーブルの緊張・定着接続方法であるから、左右のＰＣケーブルの緊張・定着接続作業が容易であるという効果がある。特に中央部の橋桁内部で作業スペースが大きく、ＰＣケーブルが水平の部位を選定して作業を行なう場合には特に効果が大きい。
【００２０】
第４の発明は、第１乃至３の発明において前記ＰＣケーブルの緊張・定着接続作業がＰＣケーブルの１本ずつを緊張し、定着接続具に定着接続することを特徴とするものであり、第５の発明は、前記ＰＣケーブルの緊張・定着接続作業がＰＣケーブルの２本ずつを緊張し、定着板に定着接続することを特徴とするものであるから、簡単な装置で簡易に左右のＰＣケーブルの緊張・定着作業ができるという効果がある。
【００２１】
第６の発明は、第１または第３の発明において、前記ＰＣケーブルの緊張・定着接続の作業が複数本のＰＣケーブルを接続するものであって、左右一方のＰＣケーブルの全数を円板状の定着板の中心部に定着接続し、他方のＰＣケーブルを前記一方のＰＣケーブルの全数を定着接続したその定着板の中心部の外側に位置する略円周上に、かつ１列に緊張し、定着接続することを特徴とするＰＣケーブルの取替え時の緊張・定着接続方法であるであるから、短期間に同一部位において左右のＰＣケーブルの緊張・定着作業ができるという効果がある。特にＰＣケーブルの本数の多い場合に効果が大きい。
【００２２】
第７の発明は、ＰＣケーブルを定着固定するクサビと該クサビの後部端面で押圧するスプリングを収容し該スプリングの他端面を支持するスプリング受け部を備えた２個の外筒と、該２個の外筒を両端に結合する円筒状の接続部材と、かび量が大きい場合には、ジャッキの盛替え毎に、ＰＣケーブルを切断するという作業が不要となるので作業能率が向上する。ＰＣケーブルの長さが長く、伸び量の大きい時に特に効果が大らなるＰＣケーブルの自動定着接続具であって、前記接続部材の円筒状の外面にはその軸方向に長孔が設けられ、該接続部材の一方の端部内面から該接続部材の他端に位置する前記長孔の開口端にかけて略円弧を形成するガイド面が設けられ、前記２個の外筒の一方ではＰＣケーブルの端部を自動定着し、前記２個の外筒の他方ではＰＣケーブルの端部を自動定着する機能を有し、ＰＣケーブルの端部を前記外筒内に押込むと、ＰＣケーブルの端部が前記ガイド面に沿ってガイドされ、前記接続部材の外部に押出されることを特徴とする自動定着接続具であるから、ＰＣケーブルの定着接続具への挿入作業が容易であり、ＰＣケーブルの伸きい。
【発明を実施するための最良の形態】
【００２３】
ＰＣケーブルの取替えを行なう場合、橋台・胸壁とその背面部分に、大きな作業空間が必要になるが、この作業空間が橋梁の建設時に設けられていない所が多く、橋台・胸壁の背面部にＰＣケーブルの取替え時に必要な、作業機器を持ち込み、緊張定着等の作業のできる作業孔を新たに設けることは工期が長くなり費用が嵩むほか、路面の沈下が大きくなり車両や列車の走行時の安全性や乗心地に悪影響を及ぼすという問題があるため、本実施の形態は、橋台・胸壁の背面部にＰＣケーブルの取替え時に必要とする大きな作業孔を設けることなく桁端内方で行なうことを特徴とするものである。
【００２４】
即ち、本発明の実施の形態に係る外ケーブル方式の桁橋は、従来の外ケーブル方式の桁橋が上記背景技術で説明した通り、一端が左側の桁端の定着板１２に定着具を使用して定着固定され、他端が２つの中間隔壁１４の貫通孔１４３を挿通して右側の定着板１２１に定着具を使用して定着固定されているのに対して、緊張・定着接続部１３を桁端の内方に設けることを特徴とするものである。
【００２５】
橋台・胸壁の背面部には定着具を取替えＰＣケーブルをクサビを打込んで固定するに必要なだけの最小限の作業員用の作業孔（不図示）を設ける。
【００２６】
取替えを要するＰＣケーブルを除去した後、桁端部のコンクリートに設けられた定着板１２、１２１は元のままとし、左右のＰＣケーブル１５、１６の端部を左右の桁端部の内側から外方へをそれぞれ挿通し定着具を使用して定着板１２、１２１に定着固定する。
【００２７】
左右のＰＣケーブル１５、１６の緊張・定着接続部１３は好ましくは桁橋の中央部かつ橋桁の中央においてＰＣケーブルが水平で、ＰＣケーブルの緊張・定着接続に必要な機器の持ち込みや、作業員の入り込むスペースが充分取れる部位を選定するのがよい。またＰＣケーブルの緊張・定着接続にはジャッキ、定着接続具または定着板、クサビ等を使用して行なえばよい。
【００２８】
ただし、ＰＣケーブルの接続部位は桁橋の中央部に限定されるものではない。桁端の内方であればよく、作業スペースの確保し易い場所を橋桁の構造により適宜選定すればよい。また橋桁の構造は箱型に限定されるものではなく、ＰＣケーブルが橋桁の下部に配策されている場合には橋桁の下部に簡易のゴンドラを橋桁から懸架する等して橋桁の下部で行なってもよい。
【００２９】
上述の通り本実施の形態によれば、橋台・胸壁の背面部に大きな作業孔を設けることなく、ＰＣケーブルの取替えを短い工期、少ない費用で実現しさらに橋台・胸壁の背面部の路面の沈下による自動車や鉄道の安全性や乗り心地に悪影響を及ぼすことがないという効果が得られる。
【００３０】
また、本実施の形態はＰＣケーブルの取替え時に適用できるのみならず、ＰＣケーブルを使用した桁橋およびＰＣケーブルを使用しない橋桁の補修・補強にも適用することができる。
【００３１】
以下実施例に基いて詳細に説明する。
【実施例１】
【００３２】
本実施例は、ＰＣケーブルを１本引きジャッキで、１本ずつ緊張・定着接続してＰＣケーブルを取替える場合である。
【００３３】
図２は本発明の実施例１に係るＰＣケーブルの１本引きジャッキの正面図である。図３は図２の側面図であり、（イ）は矢視Ａ-Ａ図、（ロ）は矢視Ｂ-Ｂ図、（ハ）は矢視Ｃ-Ｃ図を示している。
【００３４】
図４は本発明の実施例１に係る左右のＰＣケーブル１本を相互に定着接続するための自動定着接続具の断面図であり、（イ）は従来の定着接続具の断面図、（ロ）はその変形型の断面図である。
【００３５】
図２または３において、ジャッキ装置２０は公知の油圧ポンプで駆動される一対のシリンダ２２、ピストン２３、ロッド２４を有し、シリンダ２２の左端には一対のシリンダを所定の間隔に固定し、中央にクサビ２１を取付ける円錐孔（下側に開口溝あり）を有する定着板２７が設けられ、シリンダ２２の右端には定着板２７と平行に一対のシリンダを所定の間隔に取付けし、中央にケーブル２６が挿通するＵ字状の切欠き部を付した固定板２７１が設けれている。さらに一対のロッド２４の右端には定着板２７、固定板２７１と平行にロッドの右端を所定の間隔に固定し、クサビ２１１を取付ける円錐孔（下側に開口溝あり）を有する定着板２７２が設けられている。またシリンダ２２の両端部には油圧ポンプ（不図示）に接続される配管２５、２５１が設けられている（図２、３）。定着板２７、２７２は一対のシリンダ２２、またはロッド２４を所定の間隔に固定・保持する接続板の機能も有している。また定着板２７、２７２の円錐孔は下側に開口溝が付されクサビをスライドしたときはその開口溝を通してＰＣケーブルの着脱が可能になっている。なお、上記のクサビ２１、２１１（押圧スプリングおよびその押え板を省略）は自動定着機能を有するものである。
【００３６】
図４（イ）に示す定着具３０は公知の定着接続具であり、２個の外筒３５を背中合わせにして外面に雄ねじの設けられた円筒形状の接続部材３２を使用して接続されており、外筒３５のそれぞれの内部には２〜３に分割されたクサビ３１とそのクサビの後部端面で押圧するスプリング３４と、そのスプリングの他端を保持するスプリングの受け部材３３が収納され、ＰＣケーブル３６を左右から差し込むときはスプリング３４が収縮してクサビ３１が径方向に広がりＰＣケーブル３６の先端の挿入を可能にするが、反対にＰＣケーブル３６を外方向に引張るときにはクサビ３１の内面とＰＣケーブル３６の外表面との摩擦力によってクサビ３１は外側に引かれ内径が縮小して、クサビ３１の内面でＰＣケーブルを把持して拘束する。
【００３７】
図４（ロ）に示す定着接続具３０１は、図４（イ）に示した定着接続具３０の外筒３５１の端部に円錐部を設けて、ＰＣケーブル３６の外筒３５１への挿入作業を容易にしたものであり、その他の構成は図（イ）に示した定着接続具３０と同一である。
【００３８】
次に、図２において、左右のＰＣケーブルを１本引きジャッキ装置２０で緊張・定着する作業方法およびその動作について説明する。
【００３９】
図２において、まず左側からＰＣケーブル２６の先端を定着板２７のクサビ用の円錐孔中心から挿入し、ジャッキのシリンダ２２の中央部まで挿通し、クサビ２１の自動定着機能により、ＰＣケーブル２６を定着板２７に固定し、ＰＣケーブル２６の先端を定着接続具３０（または３０１、以下同じ）の一端に押込んで、クサビ３１の自動定着機能によりＰＣケーブルの先端部と定着接続具３０とを接続固定する（定着接続具３０にＰＣケーブル２６を接続・固定した後に定着板２７の円錐孔の下側の開口溝からＰＣケーブルを嵌入し、その後クサビ２１で固定してもよい）。この状態で定着板２７、固定板２７１に接続しているアーム（不図示）で定着接続具３０をその軸心が定着板２７、２７２、固定板２７１の孔の中心を結ぶ軸心と一致するようにして固定する。
【００４０】
次に、右側の定着板２７２の円錐孔中心からＰＣケーブル２６１の先端を挿通し先端が固定板２７１のＵ字状の切欠き部を通過するところまで押込み、クサビ２１１の自動定着機能により定着板２７２に固定する。
【００４１】
続いて、油圧ポンプ（不図示）を作動させてロッド２４を収縮させて、ＰＣケーブル２６１を左側に引寄せ、途中でＰＣケーブル２６１の先端部を定着接続具３０に自動定着接続させたときに、丁度所定の緊張力となるように、ＰＣケーブルの先端位置をカットオフマシーンで切断除去し、調整してから引寄せ定着する。  
【００４２】
一回目の引寄せ作業で、ＰＣケーブル２６、２６１の緊張力が所定の値に達しない場合には、ジャッキを盛替え、再度ＰＣケーブルの先端を所要の緊張力を導入するに必要な位置になるように切断調整して第２回目、必要に応じ第３回目以降の引寄せ作業を行なう。
【００４３】
所定の緊張量に達したら、ジャッキの油圧を解き、定着板２７、２７２に取付けられているクサビ２１、２１１を取外し、定着接続されたＰＣケーブル２６、２６１とジャッキ装置２０を分離する。以上の作業を繰返し複数本のＰＣケーブルの緊張・定着接続を行なう。この場合、定着接続部が同じ位置で重なり合わないように、ＰＣケーブルの軸方向にずらして行ない、ＰＣケーブルと定着接続具との干渉部位には弾性体のプロテクタを介挿するのが好ましい。また図４（ロ）に示した定着接続具を使用すると、ＰＣケーブルの挿入部が円錐形状であるので、定着接続具３０の固定時またはＰＣケーブルの緊張作業時にＰＣケーブルの先端が位置ずれしても、ＰＣケーブルの先端部コーナが円錐の最大径内にある限り定着・接続が可能となる。
【００４４】
実施例１の方法により、橋台・胸壁の背面部に大きな作業孔を設けることなくＰＣケーブルの取替え作業を行なうことができる。
【実施例２】
【００４５】
本実施例は、ＰＣケーブル１本を緊張・定着接続させる定着接続具に関するものである。
【００４６】
図５は、本実施例２に係るＰＣケーブル１本を緊張・定着接続させる定着接続具の説明図であり、（イ）は正面図、（ロ）は下面図である。図５において、６０は定着接続具であり、中央の接続部材６２と両端の外筒６５、６５１からなり、接続部材６２は鋼管または棒鋼を加工し、中空部６２１が設けられた円筒形状をなし、両端部には外周に雄ネジが設けられた小径部６２５が設けられ、一端（図右側）には小径部６２５に続いて内径を縮小した挿通孔６２２が設けられ、小径部６２５の内面には後述のスプリング受け部として機能する拡径部６２４が設けられ、さらに中央部下面には軸方向に長孔６２３が設けられている（図（ロ））。
【００４７】
左側の外筒６５の端部内面には接続部材６２の端部外周に設けられた雄ネジと螺合する雌ネジが設けられ、内部には２から３個に分割されたクサビ６１と、そのクサビ６１の後部端面を押圧するスプリング６４とが収容されており、また左側の外筒６５にはスプリング６４の他端を保持するスプリング受け部材６３が接続部材６２の開口端に嵌入されている。右側の外筒６５１の端部内面には接続部材６２の端部外周に設けられた雄ネジと螺合する雌ネジが設けられ、内部にはクサビ６１１と、そのクサビ６１１の後部端面を押圧するスプリング６４１が収納されており、上述の拡径部６２４がスプリング６４１の他端を保持している。両端のクサビ６１、６１１はともに自動定着機能を有している。
【００４８】
６７は、鋼または鋳鋼製のＰＣケーブルのガイドであり、大きな円弧面６７１とそれに直交する方向にＰＣケーブルの軸直角方向のずれを規制する円弧面またはＶ字状面を有し、一端に長孔６２３の端部に引掛けてそのずれを防止するためのフック部６７２が形成されている。次に本定着接続具を使用して緊張・定着する作業方法およびその動作について説明する。ジャッキは実施例１の説明で使用したものと同様の一本引きジャッキ（図２）を使用する。
【００４９】
図２を参照して、まず定着接続具６０をジャッキの２本のシリンダ２２間で左端を定着板２７に接して配置し、左側からＰＣケーブル２６の先端を定着板２７のクサビ用の円錐孔中心から挿入し、さらにＰＣケーブル２６の先端を定着接続具６０の左側の外筒６５に押込んでＰＣケーブル２６をクサビ６１の自動定着機能により定着接続具６０の一端に固定するとともに、定着板２７のクサビ２１の自動定着機能によりＰＣケーブル２６を定着板２７に固定する（定着接続具６０にＰＣケーブル２６を接続・固定した後に定着板２７の円錐孔の下側の開口溝からＰＣケーブルを嵌入し、その後クサビ２１を取付け固定してもよい）。
【００５０】
次に、右側の定着板２７２の円錐孔中心からにＰＣケーブル２６１の先端を挿通し先端が固定板２７１のＵ字状の切欠き部を通過させ定着接続具６０の右側の外筒６５１に押込んで、ＰＣケーブル２６１の先端が少なくとも長孔６２３から目視できるところまで挿通させるか、またはＰＣケーブル２６、２６１の初期のたるみがなくなるまで挿通して、クサビ６１１の自動定着機能により定着接続具６０に固定するとともにクサビ２１１の自動定着機能により定着板２７２に固定する。
【００５１】
続いて、定着接続具６０の左端が油圧ジャッキの定着板２７の右端面と当接していることを確認した後油圧ポンプ（不図示）を作動させてロッド２４を収縮させて、ＰＣケーブル２６１を左側に引寄せＰＣケーブルを緊張する。引寄せられたＰＣケーブル２６１はガイド６７でガイドされながら長孔６２３から送り出される。第１回目の引寄せ作業で、ＰＣケーブル２６、２６１の緊張量が所定の値に達しない場合には、ジャッキを盛替えて第２回目、必要に応じ第３回目以降の引寄せ作業を行なう。
【００５２】
なお、ＰＣケーブル２６１のガイド６７によるガイドの方向は図５に示した下方に限定されるものではなく、作業場所の周囲の条件により適宜左方、右方または上方にすればよい。またガイドは固定式にすることもできる。
【００５３】
所定の緊張量に達したら、ジャッキの油圧を解き、定着板２７、２７２に取付けられているクサビ２１、２１１を取外し、定着接続されたＰＣケーブル２６、２６１とジャッキ装置２０を分離し、長孔６２３から押出されたＰＣケーブル２６１は接続部材６２の中空部６２１内に収まる適切な位置で切断し切断部６６２を除去し、ガイド６７を取外してＰＣケーブル２６１の端部を接続部材６２の中空部６２１に収め、中空部６２１のＰＣケーブルに防食対策を施す。以上の作業を繰返し複数本のＰＣケーブルの緊張・定着接続を行なう。この場合、定着接続部が同じ位置で重なり合わないように、ケーブルの軸方向にずらして行ない、ＰＣケーブルと定着接続具との干渉部位には弾性体のプロテクタを介挿するのが好ましい。本実施例２に係る定着接続具を使用すると、右側のＰＣケーブル２６１の定着接続具６０への挿入作業が容易となり、ジャッキの盛替え毎に、ＰＣケーブルを切断するという作業が不要となるので作業能率が向上する。ＰＣケーブルの長さが長く、伸び量の大きい時に特に効果が大きい。
【００５４】
実施例２の方法によっても、橋台・胸壁の背面部に大きな作業孔を設けることなくＰＣケーブルの取替え作業を行なうことができる。
【実施例３】
【００５５】
本実施例は１本引きジャッキ２台と１個の定着板を使用して、ＰＣケーブル２本ずつを緊張・定着接続してＰＣケーブルを取替える場合である。
【００５６】
図６は本発明の実施例３に係る１本引きジャッキを２個使用し、ＰＣケーブル２本を組にして緊張・定着接続させる場合の説明図であり、公知の１本引きジャッキ１台を取り付けた場合を示し、他の１台の図示は省略している。なおクサビ４１、４２は自動定着式ではなく通常の定着方式となっている。
【００５７】
本実施例３においては、まず右側の２本のＰＣケーブル４６を定着板４４にクサビ４１により定着固定し、左側の２本のＰＣケーブル４５を定着板４４にクサビ４２により定着固定し、その後ＰＣケーブル４５の先端に１本引きのジャッキ４３を２台取付ける。
【００５８】
次に、１本引きジャッキ４３の２台が均等なストロークになるように油圧を掛けて緊張すると、左右のＰＣケーブル４５、４６が同時に緊張され、クサビ４２により定着板４４に固定され、ＰＣケーブル２本ずつの緊張定着を１本引きジャッキ２台を使用して行なうことができる。この作業の繰返しにより複数本のＰＣケーブルの緊張・定着接続作業を効率よく行うことができる。ＰＣケーブルの本数が奇数本の場合は、最後の１本の緊張・定着接続作業は実施例１の１本引きジャッキによる緊張・定着接続作業を行えばよい。なおジャッキ４３は右側のＰＣケーブル４６の先端に取付けてＰＣケーブルの緊張を行ってもよい。
【００５９】
実施例３の方法によっても、橋台・胸壁の背面部に大きな作業孔を設けることなくＰＣケーブルの取替え作業を行なうことができる。
【実施例４】
【００６０】
本実施例は複数の１本引きジャッキと円板状の１個の定着板を使用して、ＰＣケーブルの複数本を一体として緊張・定着接続してＰＣケーブルを取替える場合である。
【００６１】
図７は実施例４に係るＰＣケーブルの複数本を一体としジャッキの複数台を使用して緊張・定着接続させる場合の説明図、図８は図７の矢視Ａ―Ａであり、公知の１本引きジャッキを１台取付けた場合を示し、他の油圧ジャッキの図示は省略し、またクサビ５１、５２は自動定着式ではなく通常の定着方式となっている。
【００６２】
本実施例においては、まず定着板５４の中心部にクサビ５２によりＰＣケーブル５５の全本数を固定する。
【００６３】
そして、左側のＰＣケーブル５６を右側のＰＣケーブルの全本数を定着した定着板５４の外側にクサビ５１を使用して固定保持し、外側のケーブル５６の先端に１本引きのジャッキ５３を複数個、定着板５４の中心に対して力学的にバランスするように取付けて緊張・定着接続を行なう。この場合隣接するＰＣケーブルに取付けるジャッキ５３が干渉しないように、所定の大きさの円周上に配置することが必要となる。この緊張・定着接続作業で所定の緊張力の得られない場合には、所定の緊張力が得られるまでジャッキを操作して引寄せ作業を行う。所定の緊張力が得られたら油圧ジャッキの油圧を解き、油圧ジャッキを取外し未緊張のＰＣケーブル５６の先端に取外した油圧ジャッキ５３を取付け、先程と同様の緊張作業を行い総てのＰＣケーブルの緊張作業を完了させる（第１ステップ）。
【００６４】
第１ステップの作業の終了した段階においては、既に緊張したＰＣケーブル５６は右側（内側）のＰＣケーブル５５の伸びによって、緊張力が緩和しているため、第１ステップで緊張されたＰＣケーブルに重ねて緊張作業を行う（第２ステップ）。第２ステップでも右側（内側）のＰＣケーブル５５の伸びによって緊張力が緩和するため必要に応じ第３ステップ以降の緊張作業を繰返し必要な緊張力を確保する。上記のステップの回数を減らすには、各ステップにおける１度に使用できる油圧ジャッキの台数を多くし、油圧ジャッキの組替え回数を少なくすればよく、第1ステップで、全本数を緊張することができる時は、第２ステップ以降の緊張作業は不要となる。
【００６５】
実施例４の方法によっても、橋台・胸壁の背面部に大きな作業孔を設けることなくＰＣケーブルの取替え作業を行なうことができる。
【実施例５】
【００６６】
本実施例は老朽化した桁橋を、新たにＰＣケーブルを敷設して、補修・補強する場合であり、橋台・胸壁の背面部にＰＣケーブルを緊張・定着接続する作業スペースのない場合である。
【００６７】
図９は本発明の実施例５に係る従来の桁橋にＰＣケーブルを新たに敷設して補修・補強する場合の説明図であり、（イ）は正面図、（ロ）は矢視Ａ-Ａ図、（ハ）は矢視Ｂ-Ｂ図である。本図は従来の桁橋に定着用ブロック１９、定着板１８、１８１、ＰＣケーブル貫通孔１４４を設け左右のＰＣケーブル１５１、１６１のそれぞれの端部を定着具を使用して定着板１８、１８１に固定した後、中間隔壁の内部空間に緊張・定着接続部１３を設けて老朽化した桁橋を補修・補強したものであり、その他の桁橋の構成は同じであり改造の必要はない。次に、補修・補強の作業方法およびその動作について説明する。
【００６８】
ＰＣケーブルの緊張作業の前に、まず左右桁端の側壁内面に定着用ブロックと中間隔壁１４（本実施例では中間隔壁の数は２）にＰＣケーブルの貫通孔１４４を設ける。
【００６９】
次に、左右のＰＣケーブルの一端をブロック１９の定着板１８、１８１に橋桁の内側から外方（左右方向）に向けて挿通し、定着具(不図示)を使用して固定し、左右のＰＣケーブル１５１、１６１の他端を中間隔壁の貫通孔１４４にそれぞれ挿通し、桁橋および橋桁中間部に位置する緊張・定着接続部１３にて緊張定着する。
【００７０】
緊張・定着接続部１３における緊張定着作業は、上記実施例１による１本引きジャッキで１本ずつ緊張定着してもよいし、実施例３による１本ジャッキ２台と１個の定着板を使用して、ＰＣケーブル２本ずつを緊張・定着接続してもよいし、また実施例４による１本引きジャッキと円板状の１個の定着板を使用してＰＣケーブルの複数本を一体として緊張・定着接続してもよい。
【００７１】
緊張・定着接続部１３はＰＣケーブルの取替え時と同様に桁橋および橋桁の中央部に限定されるものでなく、桁端の内方であればよく、作業スペースの確保し易い場所を橋桁の構造により適宜選定すればよい。また橋桁の構造は箱型に限定されるものではなく、ＰＣケーブルが橋桁の下部に配策されている場合には橋桁の下部に簡易のゴンドラを橋桁から懸架する等して橋桁の下部で行なってもよい。
【００７２】
なお、定着用ブロック１９、中間隔壁のＰＣケーブル貫通孔１４４が既に設けられている場合にはそれを使用すればよく、この場合にはそれらを新たに設ける作業は不要となる。
【００７３】
上述の通り、老朽化した桁橋をＰＣケーブルを新たに敷設して、補修・補強する場合にも、桁橋の中間部に緊張・定着接続部を設けることにより、橋台・胸壁の背面部に大きな作業孔を設けることなく、工期の短縮、費用の節減を可能にして、ＰＣケーブルの敷設作業を行なうことができ、橋台・胸壁の背面部の路面の沈下による自動車や鉄道の安全性、や乗り心地への悪影響を防止することができる。
【００７４】
なお、上記実施例３、４、５においては定着板にクサビを固定するための円錐状孔を設ける方式について説明したが、定着板に円錐孔を設けないで、公知のスリーブ方式の定着具を使用することもできる。
【００７５】
また、上記の実施例において被覆ケーブルを用いる場合に、定着接続具または定着板の近傍でケーブルの被服を除去した部分に防食カバーを設ける記載を省略したが、初期のＰＣケーブル取付け時と同様に防食カバーを設けることができる。
【図面の簡単な説明】
【００７６】
【図１】本発明の実施の形態に係る外ケーブル方式を採用した桁橋およびそのＰＣケーブル取替え時の接続部の説明図であり、（イ）は正面図、（ロ）は矢視Ａ−Ａ図、（ハ）は矢視Ｂ−Ｂ図である。なお本図は桁橋中央部の緊張・定着部を除けば従来例の外ケーブル方式の桁橋の説明図をも兼ねている。
【図２】本発明の実施例１に係るＰＣケーブルの１本引きジャッキの正面図である。
【図３】図２の定着板部の側面図であり、（イ）は矢視Ａ-Ａ図、（ロ）は矢視Ｂ-Ｂ図、（ハ）は矢視Ｃ-Ｃ図である。
【図４】本発明の実施例１に係る１本のＰＣケーブルを定着接続するための定着接続具の断面図であり、（イ）は公知の定着接続具の断面図、（ロ）はその変形型の断面図である。
【図５】本発明の実施例２に係るＰＣケーブル１本を緊張・定着接続させる定着接続具の説明図であり、（イ）は正面図、（ロ）は下面図である。
【図６】本発明の実施例３に係る１本引きジャッキを２台使用し、ＰＣケーブル２本を組にして緊張・定着接続させる場合の説明図である。
【図７】本発明の実施例４に係るＰＣケーブルの複数本を一体とし、ジャッキを複数台を使用して緊張・定着接続させる場合の場合の説明図である。
【図８】図７の矢視Ａ−Ａ図である。
【図９】本発明の実施例５に係る従来の桁橋にＰＣケーブルを新たに敷設して補修・補強する場合の説明図であり、（イ）は正面図、（ロ）は矢視Ａ-Ａ図、（ハ）は矢視Ｂ-
【符号の説明】
【００７７】
１００、２００・・・桁橋（外ケーブル式）
１０、１０１・・・橋桁
１１、１１１・・・横桁
１２、１２１・・・定着板（桁端）
１３・・・緊張・定着接続部
１４・・・中間隔壁
１４１・・・連絡孔    
１４２・・・検査孔
１４３、１４４・・・貫通孔
１５、１６、１５１、１６１・・・ＰＣケーブル
１７・・・橋台
１７１・・・胸壁
１７２・・・盛土
１８、１８１・・・定着板
１９・・・ブロック（定着用）
２０・・・１本引きジャッキ装置
２１、２１１・・・クサビ
２２・・・シリンダ
２３・・・ピストン
２４・・・ロッド  
２５、２５１・・・配管
２６、２６１・・・ＰＣケーブル
２７、２７２・・・定着板
２７１・・・固定板
３０、３０１・・・定着接続具（１本引き）
３１・・・クサビ  
３２・・・接続部材（スリーブ）
３３・・・スプリング受け部材
３４・・・スプリング
３５、３５１・・・外筒
３６・・・ＰＣケーブル
４０・・・２本引き定着装置
４１、４２・・・クサビ
４３・・・ジャッキ
４４・・・定着板
４５、４６・・・ＰＣケーブル
５０・・・マルチ定着装置
５１、５２・・・クサビ
５３・・・ジャッキ
５４・・・定着板
５５、５６・・・ＰＣケーブル
６０・・・定着接続具
６１、６１１・・・クサビ
６２・・・接続部材
６２１・・・中空部
６２２・・・挿通孔
６２３・・・長孔
６２４・・・拡径部
６２５・・・小径部
６３・・・スプリング受け部材
６４、６４１・・・スプリング
６５、６５１・・・外筒
６６、６６１・・・ＰＣケーブル
６６２・・・切断部（ＰＣケーブル）
６７・・・ガイド
６７１・・・円弧面
６７２・・・フック部
【図１】
2006249665.tif 000003
【図２】
2006249665.tif 000004
【図３】
2006249665.tif 000005
【図４】
2006249665.tif 000006
【図５】
2006249665.tif 000007
【図６】
2006249665.tif 000008
【図７】
2006249665.tif 000009
【図８】
2006249665.tif 000010
【図９】
2006249665.tif 000011
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
外ケーブル方式を採用した桁橋の複数本のＰＣケーブルの取替え時または複数本のＰＣケーブルを新たに敷設して橋桁を補修・補強する時の緊張・定着接続方法であって、ＰＣケーブルの左右両端の固定部位を橋桁の端部とし、左右のＰＣケーブルの緊張・定着接続部を桁端の内方に設け、該緊張・定着接続部において、前記複数本のＰＣケーブルの撚り線端末部を定着板の左右の一方側からジャッキにより全数同時にまたは数本毎に分割して緊張し、該定着板にクサビ定着・接続することを特徴とするＰＣケーブルの緊張・定着接続方法。
【請求項２】
前記外ケーブル方式を採用した桁橋の複数本のＰＣケーブルの取替え時の該ＰＣケーブルの左右両端の固定部位を取替え前の元の橋桁の端部としたことを特徴とする請求項１に記載のＰＣケーブルの緊張・定着接続方法。
【請求項３】
前記左右のＰＣケーブルの緊張・定着接続部が中央部の橋桁の内部空間であることを特徴とする請求項１または２に記載のＰＣケーブルの緊張・定着接続方法。
【請求項４】
前記定着板が角柱状をなし、前記左右のＰＣケーブルがそれぞれ２本で構成され、該定着板の一方側からジャッキにより、前記２本のＰＣケーブルを緊張し、該定着板にクサビ定着・接続することを特徴とする請求項１乃至３に記載のＰＣケーブルの緊張・定着接続方法。
【請求項５】
前記定着板が円板状をなし、前記左右一方のＰＣケーブルの全数を該円板状の定着板の中心部に定着接続し、他方のＰＣケーブルを前記一方のＰＣケーブルの全数を定着接続したその外側に位置する略円周上に、かつ１列に配置し、該外側に配置したケーブルの撚り線端末部を全数同時にまたは数本毎に分割して緊張し、該定着板にクサビ定着・接続することを特徴とする請求項１乃至３に記載のＰＣケーブルの緊張・定着接続方法。  
【手続補正２】
【補正対象書類名】明細書
【補正対象項目名】全文
【補正方法】変更
【補正の内容】
【発明の詳細な説明】
【技術分野】
【０００１】
本発明は、ＰＣケーブルの緊張・定着接続方法に関する。
【背景技術】
【０００２】
従来、各種の橋梁において、自動車、鉄道等の荷重を直接支持するコンクリート製の橋桁には支点間で常時大きな曲げモーメントが作用することから、Ｔ桁、箱桁、トラス、中空床版、版桁等のコンクリート躯体にＰＣケーブルを外ケーブル方式で敷設してプレストレスを導入することによって橋桁の建設を可能とし、また支点間の距離を長くすることが行なわれている。
【０００３】
図１は本発明の実施の形態に係る外ケーブル方式を採用した桁橋およびそのＰＣケーブル取替え時の接続部の説明図、（イ）は正面視断面図、（ロ）は矢視Ａ−Ａ図、（ハ）は矢視Ｂ−Ｂ図であり、図１は同時に桁橋中央部の緊張・定着接続部を除けば、従来例の外ケーブル方式を採用した桁橋の説明図でもある。
【０００４】
図１を参照しながら従来例の外ケーブル方式の桁橋について説明する。１００は外ケーブル方式の桁橋であり、水平方向に張出部を有する上面と両側面と下面とからなる箱断面をなす橋桁１０が左右（長手）方向に結合され両端の横桁１１、１１１が橋台１７を支持点として敷設されている。１４は中間隔壁であり、中央に連絡孔１４１が設けられている。１４２は橋桁の下面に設けられた検査孔であり、検査・点検時に検査員が橋桁１０の内部に立入るために使用される。１２、１２１は左右の桁端に設けられた定着板である。
【０００５】
ＰＣケーブルは一端が、例えば左側の桁端の定着板１２に定着具を使用して定着固定され、他端が２つの中間隔壁１４の貫通孔１４３を挿通して、右端の胸壁１７１および盛土１７２が積上げられる前に、横桁１１１の外方において油圧ジャッキによって緊張され定着具を使用して定着板１２１に定着固定される。ＰＣケーブルは定着板１２、１２１と２つの中間隔壁１４の貫通孔１４３の縁部を支持点として緊張されている。
【０００６】
下記特許文献１には、外ケーブル方式の単純ＰＣ桁（１）で上フランジ（２）と下フランジ（３）がウエブ（４）で結合されたコンクリート躯体の両端部が支点（６）で支持されたもの（図６（ｂ）（ｄ））。また複数の主桁（１３）を横桁兼用定着壁（１６）を介して一体化して構築した外ケーブル方式の単純ＰＣ橋（１５）（図７）。さらに、外ケーブル方式の単純ＰＣ箱桁（１８）で、上床版（１９）と下床版（２０）が両側版（２１）で連結され内部が中空の箱桁が構築されていて、ＰＣ箱桁（１８）の端部が支点（６）で支持されたもの(図９)等各種の外ケーブル方式の桁橋が示されている。
【特許文献１】特開２００４−２７０１７８号公報
【発明の開示】
【発明が解決しようとする課題】
【０００７】
上記ＰＣケーブルは老朽化等の原因により、相当期間の経過後には、補修のために取替えを行なう場合があるが、ＰＣケーブルの緊張・定着接続部を最初の桁端において行おうとすると、現に道路や鉄道として使用されている桁橋の桁端の外側、即ち橋台・胸壁とその背面部分に、大きな作業空間が必要になる。
【０００８】
しかしながら、この作業空間が橋梁の建設時に設けられていない所が多いのが実情である。橋台・胸壁の背面部にＰＣケーブルの取替え作業に必要な、作業機器を持ち込み、緊張定着等の作業のできる作業孔を設けることは工期が長くなり費用が嵩むほか、この橋台・胸壁の背面部は強度・剛性の高い胸壁部と構造上不連続な部位であるため、路面の沈下が大きくなり車両や列車の走行時の安全性や乗心地に悪影響を及ぼすという問題がある。上記特許文献１に示されている各種の外ケーブル方式の桁橋においてもＰＣケーブルの緊張・定着接続部は、いずれも桁端において行われている。
【０００９】
本発明は上記問題点に鑑みてなされたものであり、ＰＣケーブルの取替え時およびＰＣケーブルを新たに敷設して橋桁を補修・補強する時に、道路や鉄道の路面へ悪影響を及ぼさぬように、橋台・胸壁の背面部には必要最小限の作業人孔のみを設け、作業機器の持ち込みや緊張定着等の作業は桁端内方で行なうこととするＰＣケーブルの緊張・定着接続方法を提供することにある。
【課題を解決するための手段】
【００１０】
上記課題を達成するための第１の発明は、外ケーブル方式を採用した桁橋の複数本のＰＣケーブルの取替え時または複数本のＰＣケーブルを新たに敷設して橋桁を補修・補強する時の緊張・定着接続方法であって、ＰＣケーブルの左右両端の固定部位を橋桁の端部とし、左右のＰＣケーブルの緊張・定着接続部を桁端の内方に設け、該緊張・定着接続部において、前記複数本のＰＣケーブルの撚り線端末部を定着板の左右の一方側からジャッキにより全数同時にまたは数本毎に分割して緊張し、該定着板にクサビ定着・接続することを特徴とするＰＣケーブルの緊張・定着接続方法である。
【００１１】
第２の発明は第１の発明において、前記外ケーブル方式を採用した桁橋の複数本のＰＣケーブルの取替え時の該ＰＣケーブルの左右両端の固定部位を取替え前の元の橋桁の端部としたことを特徴とするＰＣケーブルの緊張・定着接続方法
第３の発明は、第１または第２の発明において、前記左右のＰＣケーブルの緊張・定着接続部が中央部の橋桁の内部空間であることを特徴とするＰＣケーブルの緊張・定着接続方法である。
【００１２】
第４の発明は、第１乃至３の発明において、前記定着板が角柱状をなし、前記左右のＰＣケーブルがそれぞれ２本で構成され、該定着板の一方側からジャッキにより、前記２本のＰＣケーブルを緊張し、該定着板にクサビ定着・接続することを特徴とするＰＣケーブルの緊張・定着接続方法である。  
第５の発明は、第１乃至３の発明において、前記定着板が円板状をなし、前記左右一方のＰＣケーブルの全数を該円板状の定着板の中心部に定着接続し、他方のＰＣケーブルを前記一方のＰＣケーブルの全数を定着接続したその外側に位置する略円周上に、かつ１列に配置し、該外側に配置したケーブルの撚り線端末部を全数同時にまたは数本毎に分割して緊張し、該定着板にクサビ定着・接続することを特徴とするＰＣケーブルの緊張・定着接続方法である。
【発明の効果】
【００１３】
第１の発明は、外ケーブル方式を採用した桁橋の複数本のＰＣケーブルの取替え時または複数本のＰＣケーブルを新たに敷設して橋桁を補修・補強する時の緊張・定着接続方法であって、ＰＣケーブルの左右両端の固定部位を橋桁の端部とし、左右のＰＣケーブルの緊張・定着接続部を桁端の内方に設け、該緊張・定着接続部において、前記複数本のＰＣケーブルの撚り線端末部を定着板の左右の一方側からジャッキにより全数同時にまたは数本毎に分割して緊張し、該定着板にクサビ定着・接続することを特徴とするＰＣケーブルの緊張・定着接続方法であるから、橋台・胸壁の背面部にＰＣケーブルの敷設時に必要な作業機器を持ち込み、緊張・定着作業を可能とするような大きな作業孔を設けることなく、工期を短縮し、少ない費用で、老朽化した桁橋のＰＣケーブルの取替えまたはＰＣケーブルを新たに敷設する橋桁の補修・補強を可能とし、さらに路面の沈下による車両や列車の走行時の安全性や乗心地に悪影響を及ぼすことがないという効果がある。特にクサビ定着・接続式であるから、ケーブルの長さが長く緊張力によるケーブルの伸び量の大きいときでも、緊張量が制限されることなく、ジャッキの盛替えにより所定の緊張力を容易に付与することができる。
【００１４】
第２の発明は第１の発明において、前記外ケーブル方式を採用した桁橋の複数本のＰＣケーブルの取替え時の該ＰＣケーブルの左右両端の固定部位を取替え前の元の橋桁の端部としたことを特徴とするＰＣケーブルの緊張・定着接続方法であるから、老朽化した桁橋のＰＣケーブルの取替えを一層簡便に行なうことができるという効果がある。
【００１５】
第３の発明は、第１または第２の発明において、前記左右のＰＣケーブルの緊張・定着接続部が中央部の橋桁の内部空間であることを特徴とするＰＣケーブルの緊張・定着接続方法であるから、左右のＰＣケーブルの緊張・定着接続作業が容易であるという効果がある。特に中央部の橋桁内部で作業スペースが大きく、ＰＣケーブルが水平の部位を選定して作業を行なう場合には特に効果が大きい。
【００１６】
第４の発明は、第１乃至３の発明において、前記定着板が角柱状をなし、前記左右のＰＣケーブルがそれぞれ２本で構成され、該定着板の一方側からジャッキにより、前記２本のＰＣケーブルを緊張し、該定着板にクサビ定着・接続することを特徴とするＰＣケーブルの緊張・定着接続方法であるから、簡単な装置で簡易に左右のＰＣケーブルの緊張・定着作業ができるという効果がある。
【００１７】
第５の発明は、第１または第３の発明において、前記定着板が円板状をなし、前記左右一方のＰＣケーブルの全数を該円板状の定着板の中心部に定着接続し、他方のＰＣケーブルを前記一方のＰＣケーブルの全数を定着接続したその外側に位置する略円周上に、かつ１列に配置し、該外側に配置したケーブルの撚り線端末部を全数同時にまたは数本毎に分割して緊張し、該定着板にクサビ定着・接続することを特徴とするＰＣケーブルの緊張・定着接続方法であるから、短期間に同一部位において左右のＰＣケーブルの緊張・定着作業ができるという効果がある。特にＰＣケーブルの本数の多い場合に効果が大きい。
【発明を実施するための最良の形態】
【００１８】
ＰＣケーブルの取替えを行なう場合、橋台・胸壁とその背面部分に、大きな作業空間が必要になるが、この作業空間が橋梁の建設時に設けられていない所が多く、橋台・胸壁の背面部にＰＣケーブルの取替え時に必要な、作業機器を持ち込み、緊張定着等の作業のできる作業孔を新たに設けることは工期が長くなり費用が嵩むほか、路面の沈下が大きくなり車両や列車の走行時の安全性や乗心地に悪影響を及ぼすという問題があるため、本実施の形態は、橋台・胸壁の背面部にＰＣケーブルの取替え時に必要とする大きな作業孔を設けることなく桁端内方で行なうことを特徴とするものである。
【００１９】
即ち、本発明の実施の形態に係る外ケーブル方式の桁橋は、従来の外ケーブル方式の桁橋が上記背景技術で説明した通り、一端が左側の桁端の定着板１２に定着具を使用して定着固定され、他端が２つの中間隔壁１４の貫通孔１４３を挿通して右側の定着板１２１に定着具を使用して定着固定されているのに対して、緊張・定着接続部１３を桁端の内方に設けることを特徴とするものである。
【００２０】
橋台・胸壁の背面部には定着具を取替えＰＣケーブルをクサビを打込んで固定するに必要なだけの最小限の作業員用の作業孔（不図示）を設ける。
【００２１】
取替えを要するＰＣケーブルを除去した後、桁端部のコンクリートに設けられた定着板１２、１２１は元の位置とし、左右のＰＣケーブル１５、１６の端部を左右の桁端部の内側から外方へをそれぞれ挿通し定着具を使用して定着板１２、１２１に定着固定する。
【００２２】
左右のＰＣケーブル１５、１６の緊張・定着接続部１３は好ましくは桁橋の中央部かつ橋桁の中央においてＰＣケーブルが水平で、ＰＣケーブルの緊張・定着接続に必要な機器の持ち込みや、作業員の入り込むスペースが充分取れる部位を選定するのがよい。またＰＣケーブルの緊張・定着接続にはジャッキ、定着接続具または定着板、クサビ等を使用して行なえばよい。
【００２３】
ただし、ＰＣケーブルの接続部位は桁橋の中央部に限定されるものではない。桁端の内方であればよく、作業スペースの確保し易い場所を橋桁の構造により適宜選定すればよい。また橋桁の構造は箱型に限定されるものではなく、ＰＣケーブルが橋桁の下部に配策されている場合には橋桁の下部に簡易のゴンドラを橋桁から懸架する等して橋桁の下部で行なってもよい。
【００２４】
上述の通り本実施の形態によれば、橋台・胸壁の背面部に大きな作業孔を設けることなく、ＰＣケーブルの取替えを短い工期、少ない費用で実現しさらに橋台・胸壁の背面部の路面の沈下による自動車や鉄道の安全性や乗り心地に悪影響を及ぼすことがないという効果が得られる。
【００２５】
また、クサビ定着・接続式であるから、ケーブルの長さが長く緊張力によるケーブルの伸び量の大きいときでも、緊張量が制限されることなく、ジャッキの盛替えにより所定の緊張力を容易に付与することができる。
【００２６】
また、本実施の形態はＰＣケーブルの取替え時に適用できるのみならず、ＰＣケーブルを使用した桁橋およびＰＣケーブルを使用していない橋桁の補修・補強にも適用することができる。
【００２７】
以下実施例に基いて詳細に説明する。
【実施例１】
【００２８】
本実施例は１本引きジャッキ２台と１個の定着板を使用して、ＰＣケーブル２本ずつを緊張・定着接続してＰＣケーブルを取替える場合である。
【００２９】
図２は本発明の実施例１に係る１本引きジャッキを２個使用し、ＰＣケーブル２本を組にして緊張・定着接続させる場合の説明図であり、公知の１本引きジャッキ１台を取り付けた場合を示し、他の１台の図示は省略している。なおクサビ４１、４２は自動定着式ではなく通常の定着方式となっている。
【００３０】
本実施例１においては、まず右側の２本のＰＣケーブル４６を定着板４４にクサビ４１により定着固定し、左側の２本のＰＣケーブル４５を定着板４４にクサビ４２により定着固定し、その後ＰＣケーブル４５の先端に１本引きのジャッキ４３を２台取付ける。
【００３１】
次に、１本引きジャッキ４３の２台が均等なストロークになるように油圧を掛けて緊張すると、左右のＰＣケーブル４５、４６が同時に緊張され、クサビ４２により定着板４４に固定され、ＰＣケーブル２本ずつの緊張定着を１本引きジャッキ２台を使用して行なうことができる。この作業の繰返しにより複数本のＰＣケーブルの緊張・定着接続作業を効率よく行うことができる。ＰＣケーブルの本数が奇数本の場合は、最後の１本の緊張・定着接続作業は実施例１の１本引きジャッキによる緊張・定着接続作業を行えばよい。なおジャッキ４３は右側のＰＣケーブル４６の先端に取付けてＰＣケーブルの緊張を行ってもよい。
【００３２】
実施例３の方法によっても、橋台・胸壁の背面部に大きな作業孔を設けることなくＰＣケーブルの取替え作業を行なうことができる。
【実施例２】
【００３３】
本実施例は複数の１本引きジャッキと円板状の１個の定着板を使用して、ＰＣケーブルの複数本を一体として緊張・定着接続してＰＣケーブルを取替える場合である。
【００３４】
図３は実施例２に係るＰＣケーブルの複数本を一体としジャッキの複数台を使用して緊張・定着接続させる場合の説明図、図４は図３の矢視Ａ―Ａであり、公知の１本引きジャッキを１台取付けた場合を示し、他の油圧ジャッキの図示は省略し、またクサビ５１、５２は自動定着式ではなく通常の定着方式となっている。
【００３５】
本実施例においては、まず定着板５４の中心部にクサビ５２によりＰＣケーブル５５の全本数を固定する。
【００３６】
そして、左側のＰＣケーブル５６を右側のＰＣケーブルの全本数を定着した定着板５４の外側にクサビ５１を使用して固定保持し、外側のケーブル５６の先端に１本引きのジャッキ５３を複数個、定着板５４の中心に対して力学的にバランスするように取付けて緊張・定着接続を行なう。この場合隣接するＰＣケーブルに取付けるジャッキ５３が干渉しないように、所定の大きさの円周上に配置することが必要となる。この緊張・定着接続作業で所定の緊張力の得られない場合には、所定の緊張力が得られるまでジャッキを操作して引寄せ作業を行う。所定の緊張力が得られたら油圧ジャッキの油圧を解き、油圧ジャッキを取外し未緊張のＰＣケーブル５６の先端に取外した油圧ジャッキ５３を取付け、先程と同様の緊張作業を行い総てのＰＣケーブルの緊張作業を完了させる（第１ステップ）。
【００３７】
第１ステップの作業の終了した段階においては、既に緊張したＰＣケーブル５６は右側（内側）のＰＣケーブル５５の伸びによって、緊張力が緩和しているため、第１ステップで緊張されたＰＣケーブルに重ねて緊張作業を行う（第２ステップ）。第２ステップでも右側（内側）のＰＣケーブル５５の伸びによって緊張力が緩和するため必要に応じ第３ステップ以降の緊張作業を繰返し必要な緊張力を確保する。上記のステップの回数を減らすには、各ステップにおける１度に使用できる油圧ジャッキの台数を多くし、油圧ジャッキの組替え回数を少なくすればよく、第1ステップで、全本数を緊張することができる時は、第２ステップ以降の緊張作業は不要となる。
【００３８】
実施例２の方法によっても、橋台・胸壁の背面部に大きな作業孔を設けることなくＰＣケーブルの取替え作業を行なうことができる。
【実施例３】
【００３９】
本実施例は老朽化した桁橋を、新たにＰＣケーブルを敷設して、補修・補強する場合であり、橋台・胸壁の背面部にＰＣケーブルを緊張・定着接続する作業スペースのない場合である。
【００４０】
図５は本発明の実施例３に係る従来の桁橋にＰＣケーブルを新たに敷設して補修・補強する場合の説明図であり、（イ）は正面図、（ロ）は矢視Ａ-Ａ図、（ハ）は矢視Ｂ-Ｂ図である。本図は従来の桁橋に定着用ブロック１９、定着板１８、１８１、ＰＣケーブル貫通孔１４４を設け左右のＰＣケーブル１５１、１６１のそれぞれの端部を定着具を使用して定着板１８、１８１に固定した後、中間隔壁の内部空間に緊張・定着接続部１３を設けて老朽化した桁橋を補修・補強したものであり、その他の桁橋の構成は同じであり改造の必要はない。次に、補修・補強の作業方法およびその動作について説明する。
【００４１】
ＰＣケーブルの緊張作業の前に、まず左右桁端の側壁内面に定着用のブロック１９と中間隔壁１４（本実施例では中間隔壁の数は２）にＰＣケーブルの貫通孔１４４を設ける。
【００４２】
次に、左右のＰＣケーブルの一端をブロック１９の定着板１８、１８１に橋桁の内側から外方（左右方向）に向けて挿通し、定着具(不図示)を使用して固定し、左右のＰＣケーブル１５１、１６１の他端を中間隔壁の貫通孔１４４にそれぞれ挿通し、桁橋および橋桁中間部に位置する緊張・定着接続部１３にて緊張定着する。
【００４３】
緊張・定着接続部１３における緊張定着作業は、上記実施例１による１本引きジャッキ２台と１個の定着板を使用して、ＰＣケーブル２本ずつを緊張・定着接続してもよいし、また実施例２による１本引きジャッキと円板状の１個の定着板を使用してＰＣケーブルの複数本を一体的に緊張・定着接続してもよい。
【００４４】
緊張・定着接続部１３はＰＣケーブルの取替え時と同様に桁橋および橋桁の中央部に限定されるものでなく、桁端の内方であればよく、作業スペースの確保し易い場所を橋桁の構造により適宜選定すればよい。また橋桁の構造は箱型に限定されるものではなく、ＰＣケーブルが橋桁の下部に配策されている場合には橋桁の下部に簡易のゴンドラを橋桁から懸架する等して橋桁の下部で行なってもよい。
【００４５】
なお、定着用ブロック１９、中間隔壁のＰＣケーブル貫通孔１４４が既に設けられている場合にはそれを使用すればよく、この場合にはそれらを新たに設ける作業は不要となる。
【００４６】
上述の通り、老朽化した桁橋をＰＣケーブルを新たに敷設して、補修・補強する場合にも、桁橋の中間部に緊張・定着接続部を設けることにより、橋台・胸壁の背面部に大きな作業孔を設けることなく、工期の短縮、費用の節減を可能にして、ＰＣケーブルの敷設作業を行なうことができ、橋台・胸壁の背面部の路面の沈下による自動車や鉄道の安全性、や乗り心地への悪影響を防止することができる。
【００４７】
なお、上記実施例１乃至３においては定着板にクサビを固定するための円錐状孔を設ける方式について説明したが、定着板に円錐孔を設けないで、公知のスリーブ方式の定着具を使用することもできる。
【００４８】
また、上記の実施例において被覆ケーブルを用いる場合に、定着接続具または定着板の近傍でケーブルの被服を除去した部分に防食カバーを設ける記載を省略したが、初期のＰＣケーブル取付け時と同様に防食カバーを設けることができる。
【図面の簡単な説明】
【００４９】
【図１】本発明の実施の形態に係る外ケーブル方式を採用した桁橋およびそのＰＣケーブル取替え時の接続部の説明図であり、（イ）は正面図、（ロ）は矢視Ａ−Ａ図、（ハ）は矢視Ｂ−Ｂ図である。なお本図は桁橋中央部の緊張・定着部を除けば従来例の外ケーブル方式の桁橋の説明図をも兼ねている。
【図２】本発明の実施例１に係る１本引きジャッキを２台使用し、ＰＣケーブル２本を組にして緊張・定着接続させる場合の説明図である。
【図３】本発明の実施例２に係るＰＣケーブルの複数本を一体とし、ジャッキを複数台を使用して緊張・定着接続させる場合の説明図である。
【図４】図３の矢視Ａ−Ａ図である。
【図５】本発明の実施例３に係る従来の桁橋にＰＣケーブルを新たに敷設して補修・補強する場合の説明図であり、（イ）は正面図、（ロ）は矢視Ａ-Ａ図、（ハ）は矢視Ｂ-Ｂ図である。
【符号の説明】
【００５０】
１００、２００・・・桁橋（外ケーブル式）
１０、１０１・・・橋桁
１１、１１１・・・横桁
１２、１２１・・・定着板（桁端）
１３・・・緊張・定着接続部
１４・・・中間隔壁
１４１・・・連絡孔    
１４２・・・検査孔
１４３、１４４・・・貫通孔
１５、１６、１５１、１６１・・・ＰＣケーブル
１７・・・橋台
１７１・・・胸壁
１７２・・・盛土
１８、１８１・・・定着板
１９・・・ブロック（定着用）
４０・・・２本引き定着装置
４１、４２・・・クサビ
４３・・・ジャッキ
４４・・・定着板
４５、４６・・・ＰＣケーブル
５０・・・マルチ定着装置
５１、５２・・・クサビ
５３・・・ジャッキ
５４・・・定着板
５５、５６・・・ＰＣケーブル
【手続補正３】
【補正対象書類名】図面
【補正対象項目名】全図
【補正方法】変更
【補正の内容】
【図１】
2006249665.tif 000012
【図２】
2006249665.tif 000013
【図３】
2006249665.tif 000014
【図４】
2006249665.tif 000015
【図５】
2006249665.tif 000016
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
外ケーブル方式を採用した桁橋の複数本のＰＣケーブルの取替え時または複数本のＰＣケーブルを新たに敷設して橋桁を補修・補強する時の緊張・定着接続方法であり、ＰＣケーブルの左右両端の固定部位を橋桁の端部とし、左右のＰＣケーブルの緊張・定着接続部を桁端の内方に設け、前記複数本のＰＣケーブルの撚り線端末部を定着板の左右の一方側からジャッキにより全数同時にまたは数本毎に分割して緊張し、クサビにより該定着板に定着固定するＰＣケーブルの緊張・定着接続方法であって、
前記定着板が厚板状をなし、前記左右のＰＣケーブルがそれぞれ２本で構成され、該定着板の一方側からジャッキにより、前記２本のＰＣケーブルを緊張し、クサビにより該定着板に定着固定することを特徴とするＰＣケーブルの緊張・定着接続方法。
【請求項２】
外ケーブル方式を採用した桁橋の複数本のＰＣケーブルの取替え時または複数本のＰＣケーブルを新たに敷設して橋桁を補修・補強する時の緊張・定着接続方法であり、ＰＣケーブルの左右両端の固定部位を橋桁の端部とし、左右のＰＣケーブルの緊張・定着接続部を桁端の内方に設け、前記複数本のＰＣケーブルの撚り線端末部を定着板の左右の一方側からジャッキにより全数同時にまたは数本毎に分割して緊張し、クサビにより該定着板に定着固定するＰＣケーブルの緊張・定着接続方法であって、
前記定着板が円板状をなし、前記左右一方のＰＣケーブルの全数を該円板状の定着板の中心部に定着接続し、他方のＰＣケーブルを前記一方のＰＣケーブルの全数を定着接続したその外側に位置する略円周上に、かつ１列に配置し、該外側に配置したケーブルの撚り線端末部を全数同時にまたは数本毎に分割して緊張し、クサビにより該定着板に定着固定することを特徴とするＰＣケーブルの緊張・定着接続方法。  
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第１の発明は、外ケーブル方式を採用した桁橋の複数本のＰＣケーブルの取替え時または複数本のＰＣケーブルを新たに敷設して橋桁を補修・補強する時の緊張・定着接続方法であり、ＰＣケーブルの左右両端の固定部位を橋桁の端部とし、左右のＰＣケーブルの緊張・定着接続部を桁端の内方に設け、前記複数本のＰＣケーブルの撚り線端末部を定着板の左右の一方側からジャッキにより全数同時にまたは数本毎に分割して緊張し、クサビにより該定着板に定着固定するＰＣケーブルの緊張・定着接続方法であって、前記定着板が厚板状をなし、前記左右のＰＣケーブルがそれぞれ２本で構成され、該定着板の一方側からジャッキにより、前記２本のＰＣケーブルを緊張し、クサビにより該定着板に定着固定することを特徴とするＰＣケーブルの緊張・定着接続方法である。
第２の発明は、外ケーブル方式を採用した桁橋の複数本のＰＣケーブルの取替え時または複数本のＰＣケーブルを新たに敷設して橋桁を補修・補強する時の緊張・定着接続方法であり、ＰＣケーブルの左右両端の固定部位を橋桁の端部とし、左右のＰＣケーブルの緊張・定着接続部を桁端の内方に設け、前記複数本のＰＣケーブルの撚り線端末部を定着板の左右の一方側からジャッキにより全数同時にまたは数本毎に分割して緊張し、クサビにより該定着板に定着固定に定着固定するＰＣケーブルの緊張・定着接続方法であって、前記定着板が円板状をなし、前記左右一方のＰＣケーブルの全数を該円板状の定着板の中心部に定着接続し、他方のＰＣケーブルを前記一方のＰＣケーブルの全数を定着接続したその外側に位置する略円周上に、かつ１列に配置し、該外側に配置したケーブルの撚り線端末部を全数同時にまたは数本毎に分割して緊張し、クサビにより該定着板に定着固定することを特徴とするＰＣケーブルの緊張・定着接続方法である。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
第１の発明は、外ケーブル方式を採用した桁橋の複数本のＰＣケーブルの取替え時または複数本のＰＣケーブルを新たに敷設して橋桁を補修・補強する時の緊張・定着接続方法であり、ＰＣケーブルの左右両端の固定部位を橋桁の端部とし、左右のＰＣケーブルの緊張・定着接続部を桁端の内方に設け、前記複数本のＰＣケーブルの撚り線端末部を定着板の左右の一方側からジャッキにより全数同時にまたは数本毎に分割して緊張しクサビにより該定着板に定着固定するＰＣケーブルの緊張・定着接続方法であって、前記定着板が厚板状をなし、前記左右のＰＣケーブルがそれぞれ２本で構成され、該定着板の一方側からジャッキにより、前記２本のＰＣケーブルを緊張し、クサビにより該定着板に定着固定することを特徴とするＰＣケーブルの緊張・定着接続方法であるから、簡単な装置で、簡易に左右のＰＣケーブルの緊張・定着作業ができるという効果がある。
【手続補正９】
【補正対象書類名】明細書
【補正対象項目名】００１７
【補正方法】変更
【補正の内容】
【００１７】
第２の発明は、外ケーブル方式を採用した桁橋の複数本のＰＣケーブルの取替え時または複数本のＰＣケーブルを新たに敷設して橋桁を補修・補強する時の緊張・定着接続方法であり、ＰＣケーブルの左右両端の固定部位を橋桁の端部とし、左右のＰＣケーブルの緊張・定着接続部を桁端の内方に設け、前記複数本のＰＣケーブルの撚り線端末部を定着板の左右の一方側からジャッキにより全数同時にまたは数本毎に分割して緊張し、クサビにより該定着板に定着固定するＰＣケーブルの緊張・定着接続方法であって、前記定着板が円板状をなし、前記左右一方のＰＣケーブルの全数を該円板状の定着板の中心部に定着接続し、他方のＰＣケーブルを前記一方のＰＣケーブルの全数を定着接続したその外側に位置する略円周上に、かつ１列に配置し、該外側に配置したケーブルの撚り線端末部を全数同時にまたは数本毎に分割して緊張し、クサビにより該定着板に定着固定することを特徴とするＰＣケーブルの緊張・定着接続方法であるから、短期間に同一部位において左右のＰＣケーブルの緊張・定着作業ができるという効果がある。特にＰＣケーブルの本数の多い場合に効果が大きい。
【手続補正１０】
【補正対象書類名】明細書
【補正対象項目名】００２５
【補正方法】変更
【補正の内容】
【００２５】
また、クサビにより定着板に定着固定する方式であるから、ケーブルの長さが長く緊張力によるケーブルの伸び量の大きいときでも、緊張量が制限されることなく、ジャッキの盛替えにより所定の緊張力を容易に付与することができる。